(57)【要約】【課題】  ヒートポンプサイクルを用いた加熱方式において、ぬるま湯の形成を防止して沸き上げ時の加熱効率（成績係数）の低下を防止できる貯湯式給湯システムを提供することを目的とする。【解決手段】  貯湯タンク１を有し、ヒートポンプサイクルを用いて前記貯湯タンク内の水を沸き上げる貯湯式給湯システムにおいて、前記貯湯タンク１内の水を沸き上げる複数の沸き上げモードと浴槽水の湯温が低下した場合に昇温を行う複数の昇温動作モードを有し、制御部３０はこの沸き上げモードの選択に付随して、複数有する浴槽水の昇温動作モードを自動選択する。【選択図】  図１
2006162205.tif 000002
【特許請求の範囲】
【請求項１】
貯湯タンクを有し、ヒートポンプサイクルを用いて前記貯湯タンク内の水を沸き上げる貯湯式給湯システムにおいて、前記貯湯タンク内の水を沸き上げる沸き上げモードを複数有し、この沸き上げモードの選択に付随して、浴槽水の昇温動作時、複数有する浴槽水の昇温動作モードを自動選択することを特徴とする貯湯式給湯システム。
【請求項２】
前記貯湯タンク内の水を沸き上げる沸き上げモードとして、貯湯タンクの全量を沸き上げる全量沸き上げモードと貯湯タンクの全量を沸き上げない必要最小沸き上げモードを有し、また、昇温動作モードとして、追いだきによる昇温動作モードと高温さし湯による高温さし湯昇温動作モードとを有し、前記全量沸き上げモードを選択した場合には、前記浴槽の昇温動作モードを追いだき昇温動作モードを実行し、前記必要最小沸き上げモードを選択した場合には、前記浴槽の昇温動作モードを高温さし湯昇温動作モードを実行することを特徴とする請求項１記載の貯湯式給湯システム。
【請求項３】
前記昇温動作を指示する一つの昇温スイッチを有し、かつ、当該昇温スイッチを操作したとき、使用者に音声や表示によりいずれの昇温動作モードで昇温動作を開始するかを知らしめる報知機能を有することを特徴とする請求項１または２記載の貯湯式給湯システム。
【発明の詳細な説明】
【技術分野】
【０００１】
本発明は、貯湯タンクを有する貯湯式給湯システムに関するものである。
【背景技術】
【０００２】
従来の風呂装置に、浴槽水の湯温が低下した場合、貯湯タンク内の残湯量を検出して、貯湯タンク内に残湯量が十分にある場合は高温さし湯が行われ、残湯量が少ない場合には追い焚きによる加熱が行なわれるように構成し、浴槽水の追い焚き時の熱源選択を自動化したものがある（例えば、特許文献１参照）。
【０００３】
【特許文献１】特開平４−６３４４号公報（第２-３頁、図２-３）
【発明の開示】
【発明が解決しようとする課題】
【０００４】
しかしながら、上記従来構成のものは、ヒーターを用いた加熱方式による沸き上げ及び風呂追い焚きを行うものであり、ヒートポンプサイクルを用いた加熱方式による沸き上げを行うものへの利用によるメリットの享受ができない。
ヒートポンプサイクルを用いた加熱方式で沸き上げを行う場合、沸き上げ前の水はできるだけ温度が低いほうが沸き上げ時の加熱効率（成績係数）の低下を防止でき、経済的であることが知られている。特に、近年の貯湯式給湯システムでの追いだき熱源として、貯湯タンク内の湯のエネルギーを利用する構成の場合、風呂追いだきにより貯湯タンク内の湯温が低下した状態となり、貯湯タンク内に中温水やぬるま湯が形成される。このように貯湯タンク内に中温水やぬるま湯が形成された状態で、ヒートポンプサイクルによる沸き上げを行うと、加熱効率（成績係数）が低下するという問題が発生する。
すなわち、ヒートポンプサイクルを用いた加熱方式で、上記従来構成のように、残湯量が少ない場合に、追い焚きで浴槽水の湯温を昇温すると、貯湯タンク内にぬるま湯が形成されてしまい、沸き上げ時に加熱効率（成績係数）が低下するという問題が発生する。
【０００５】
本発明は、上記のような課題を解決するためになされたもので、ヒートポンプサイクルを用いた加熱方式において、ぬるま湯の形成を防止して沸き上げ時の加熱効率（成績係数）の低下を防止できる貯湯式給湯システムを提供することを目的とする。
【課題を解決するための手段】
【０００６】
本発明に係る貯湯式給湯システムは、貯湯タンクを有し、ヒートポンプサイクルを用いて前記貯湯タンク内の水を沸き上げる貯湯式給湯システムにおいて、前記貯湯タンク内の水を沸き上げる沸き上げモードを複数有し、この沸き上げモードの選択に付随して、浴槽水の昇温動作時、複数有する浴槽水の昇温動作モードを自動選択するものである。
【発明の効果】
【０００７】
本発明による貯湯式給湯システムは、ヒートポンプサイクルを用いた加熱方式においては、複数ある貯湯タンク内の沸き上げモードの選択に対応して最適な昇温動作モードを自動選択することにより、例えば、貯湯タンク内の残湯量が少ないと予想される沸き上げモードの場合は、追いだきによる昇温動作モードではなく、高温さし湯による昇温動作モードとなるように組み合わせることで、ぬるま湯の形成を防止して、市水からの沸き上げが可能になり、沸き上げ時の加熱効率（成績係数）の低下を生じさせることがない。
【発明を実施するための最良の形態】
【０００８】
実施の形態１．
図１は本発明の実施の形態１に係るヒートポンプ給湯システムの構成図である。
【０００９】
図１において、貯湯タンク１の下部には給水配管２が接続されていて、この給水配管２には第１、第２の給水バイパス管２ａ、２ｂが設けられ、また、貯湯タンク１の上部には給湯配管５が接続されていて、この給湯配管５は第１の給湯バイパス管５ａと第２の給湯バイパス管５ｂとに分かれている。
貯湯タンク１の上下部には放熱用循環回路７が接続されており、この放熱用循環回路７は、貯湯タンク１内に貯湯された湯と浴槽２６内の浴水とを熱交換する熱交換器９と、貯湯タンク１内の湯を放熱用循環回路７に循環させる循環ポンプ１０とによって構成されている。
【００１０】
浴槽２６には熱交換器９の二次側である循環回路１２が接続され、循環回路１２には前記熱交換器９から浴槽２６へ浴水を循環させる循環ポンプ１３が設けられている。
ヒートポンプ本体１４には加熱循環回路１５が接続され、この加熱循環回路１５は貯湯タンク１の上下部と接続されており、加熱循環回路１５には前記ヒートポンプ本体１４内に循環ポンプ（図示せず）が設けられ、貯湯タンク１の下部から水を導き、ヒートポンプにより外気との熱交換を行い、水を高温の湯に沸き上げ、貯湯タンク１の上部に戻している。加熱循環回路１５の貯湯タンク１下部側には温度センサ１５ａが設けられている。
【００１１】
給湯側混合弁１６は第１の給水バイパス管２ａと第１の給湯バイパス管５ａの間に接続され、第１の給水バイパス管２ａからの市水と第１の給湯バイパス管５ａから供給される高温水を混合して一般給湯管１７を経由し、蛇口１８等の出湯口から出湯する。
また、ふろ側混合弁２２は第２の給湯バイパス管５ｂから供給される温水と第２の給水配管２ｂから供給される市水を混合して循環回路１２に供給する。開閉弁２４は浴槽２６へ所望の温度に混合された温水を供給、遮断する弁である。また、流量センサ２７は循環回路１２を通して浴槽２６へ供給した湯量を計測するものである。
【００１２】
操作部３１は、沸き上げモード設定スイッチ３１ａ、昇温スイッチ３１ｂ、スピーカー３１ｃ、表示部３１ｄを備えており、使用者が沸き上げモード設定スイッチ３１ａで沸き上げモードを選択して設定したり、昇温スイッチ３１ｂで浴槽水の昇温を行ったりする。また、その他のスイッチ（図示せず）により出湯の所望温度や所望量を設定するすると、スピーカー３１ｃから種々動作に対応した音声を発したり、表示部３１ｄで、種々動作に対応した表示を行う。
【００１３】
制御装置３０は、判断部３０ａと記憶部３０ｂを備えており、操作部３１で設定された沸き上げモードや所望温度や所望量及び温度センサ１５ａ，２３，流量センサ２７の検出値に基づいて循環ポンプ１０，１３，ヒートポンプ本体１４，給湯側混合弁１６，ふろ側混合弁２２，開閉弁２４等のシステム全体の動作を制御する。
ここで、沸き上げモードには、深夜時間帯にタンク全量を沸き上げる全量沸き上げモードや、過去の使用湯量に応じて学習し、必要最小の湯量で沸き上げる必要最小沸き上げモードなどがある。
なお、使用者が浴槽２６に給湯する場合、操作部３１により設定する所望温度は概ね３５〜４５℃程度である。
【００１４】
次に、本実施の形態１における貯湯式給湯システムの動作について図１〜図７を用いて説明する。
まず、給水配管２から給水された市水は減圧弁（図示せず）で所定圧に減圧され、貯湯タンク１に給水される。ここで、貯湯タンク１は常に満水状態となっている。貯湯タンク１内の水はヒートポンプ本体１４に内蔵の循環ポンプ（図示せず）の運転により、貯湯タンク１の下部から加熱循環回路１５に取り出されてヒートポンプ本体１４で熱交換し、設定された温度（例えば９０℃）になるように加熱昇温され、貯湯タンク１の上部に戻される。（図１中、矢印ａ）これにより、貯湯タンク１の上部より高温の湯が少量づつ貯湯されていく。
【００１５】
ヒートポンプ方式による沸き上げは、操作部３１の沸き上げモード設定スイッチ３１ａで全量沸き上げモードを選択した場合は、温度センサ１５ａの温度が一定温度（例えば６０℃）以上になったら、貯湯タンク１が全量沸き上がったと判断して、終了する（図２の状態）。また、沸き上げモード設定スイッチ３１ａで必要最小沸き上げモードを選択した場合は、過去の使用湯量により学習した値に応じて、貯湯タンク１全量ではなく学習による必要最小量分だけ沸き上げを行う。（例えば図３のような状態）
【００１６】
このとき、ヒートポンプ方式による沸き上げ加熱性能は、ヒートポンプ本体１４に入る水の温度が低いときは、沸き上げの加熱効率が高いが、入る水の温度が高いときは、沸き上げの加熱効率は低下する特性を持っている。
【００１７】
次に、昇温スイッチ３１ｂによる昇温動作を行う場合について、図７のフローチャートを中心に説明する。
図７は、昇温動作のフローチャートである。
【００１８】
図７において、まず、ステップ４０ｓで、操作部３１の昇温スイッチ３１ｂがオン操作されたかどうかを制御装置３０の判断部３０ａで判断し、昇温スイッチ３１ｂがオン操作された場合は、「はい」方向に進み、制御装置３０が昇温動作開始の指示を受け、ステップ４１ｓに至る。昇温スイッチ３１ｂがオン操作されない場合は、「いいえ」方向に進み、ステップ４０ｓでループ状態となる。
【００１９】
ステップ４１ｓでは、制御装置３０の記憶部３０ｂに記憶している沸き上げモード設定スイッチ３１ａでの沸き上げ温度設定が「全量沸き上げモード」であるかどうかを、制御装置３０の判断部３０ａが判断し、「全量沸き上げモード」の場合は、図中「はい」方向に進み、ステップ４２ｓに至り、スピーカー３１ｃから「追いだきを開始します」と音声での出力を行い、使用者に「追いだき動作」であることを知らせてから、ステップ４３ｓに至り、「全量沸き上げモード」でない場合は、「いいえ」方向に進み、ステップ４４ｓに至り、スピーカー３１ｃから「高温さし湯を開始します」と音声での出力を行い、使用者に「さし湯動作」であることを知らせてから、ステップ４５ｓに至る。
【００２０】
ステップ４３ｓでは、追いだきによる浴槽２６の昇温動作が行われる。すなわち、まず循環ポンプ１３が動作して浴槽２６内の浴水が循環回路１２を循環し、熱交換器９を通って浴槽２６へ戻る（図１中矢印ｃ）。一方、循環ポンプ１０も動作して、貯湯タンク１の上部より高温の貯湯水が放熱用循環回路７に導かれ、熱交換器９を通って貯湯タンク１の下部に戻される（図中矢印ｂ）。このとき、熱交換器９は、貯湯タンク１内に貯湯された高温の貯湯水から低温の浴水に熱交換（伝熱）することで、浴槽を入浴に適した温度に加熱昇温させる。また、一方で高温の貯湯水は熱を奪われ、中温水（概ね５０℃程度）となって貯湯タンク１に戻る動作を継続し、ステップ４６ｓに至る。
【００２１】
このとき、沸き上げモードが「全量沸き上げモード」であれば、図４のような状態になるが、もし、沸き上げモードが「必要最小沸き上げモード」であった場合は、図５のように、貯湯タンク１内に戻った中温水が市水と混合され、ほとんど給湯には利用できないようなぬるま湯（概ね３０℃程度）となってしまう恐れがあり、このぬるま湯は給湯に利用できないだけでなく、貯湯タンク１の貯湯エネルギとしてカウントできないので、制御部３０は湯が足りなくなると判断し、ヒートポンプ本体１４によりヒートポンプサイクルを用いた沸き上げ動作に移行することになり、ぬるま湯を沸き上げることによる加熱効率（成績係数）の悪化を生じさせる可能性がある。
【００２２】
ステップ４６ｓでは、追いだき時の昇温目標値まで達したかどうかを、制御装置３０の判断部３０ａが判断し、昇温目標値に達していれば、図７中「はい」方向に進み、ステップ４８ｓに至り、追いだきによる昇温動作を終了し、昇温目標値に達していなければ、「いいえ」方向に進み、ステップ４３ｓ、ステップ４６ｓでループ状態となる。
【００２３】
一方、ステップ４５ｓでは、高温さし湯による浴槽２６の昇温動作が行われる。まずふろ混合弁２２があらかじめ設定された高温（一般的には８０℃や６０℃で、貯湯タンク１内の湯をほぼ直接利用）となるように調整され、開閉弁２４が開き、流量センサ２７で流量をカウントしながら、浴槽２６に高温さし湯を行う動作を継続し、ステップ４７ｓに至る。
【００２４】
ステップ４７ｓでは、高温さし湯時のさし湯量が所定量に達したかどうかを、制御装置３０の判断部３０ａが判断し、さし湯量が所定量に達していれば、開閉弁２４を閉じて「はい」方向に進み、ステップ４９ｓに至り、高温さし湯による昇温動作を終了し、さし湯量が所定量に達していなければ、「いいえ」方向に進み、ステップ４５ｓ、ステップ４７ｓでループ状態となる。
【００２５】
これによれば、貯湯タンク１内に中温水が戻ることがないため、ぬるま湯が形成されず（図６の状態）、また、高温さし湯により貯湯タンク１の湯を消費するため、市水が貯湯タンク１に流入し、例えば、高温さし湯により貯湯エネルギが低下して沸き上げ動作が行われても、市水を沸き上げることになり、前述のような沸き上げ時の加熱効率（成績係数）の低下を生じさせることがない。
【００２６】
このように、選択される沸き上げモードによって、昇温スイッチ３１ｂの操作時の昇温動作モードを自動選択することにより、ぬるま湯の発生を防止して、貯湯タンク１内に市水を呼び込むことにより、貯湯タンク１の下部に注入された市水からの沸き上げとなるので、沸き上げ時の加熱効率（成績係数）の低下を抑えることが可能となる。
【００２７】
なお、本実施の形態１では、昇温動作の違いをスピーカー３１ｃを用いて音声によって使用者へ知らせる手段について説明したが、例えば、表示（図１の表示部３１ｄに「追いだき」や「高温さし湯」等を表示する）によって使用者に知らせる手段を用いても、また音声と表示を併用してもよい。
この場合も、前述の実施の形態１と同様の効果を奏し、また、使用者への認知度も向上させることが可能となる。
【００２８】
このように、本実施の形態によれば、複数ある沸き上げモードの選択に付随して、昇温スイッチ３１ｂ操作時に、複数の昇温モードから最適な昇温動作モードに自動選択するので、ぬるま湯の発生を防止して、ヒートポンプ方式による沸き上げ時の加熱効率の低下を抑えることができる。
【図面の簡単な説明】
【００２９】
【図１】本発明の実施の形態１を示す貯湯式給湯システムの構成図である。
【図２】図１の貯湯式給湯システムにおける全量沸き上げ時の貯湯水の状態を示した図である。
【図３】図１の貯湯式給湯システムにおける必要最小沸き上げ時の貯湯水の状態を示した図である。
【図４】図１の貯湯式給湯システムにおける全量沸き上げモードが選択されている場合の追いだき時の貯湯水の変化を示した図である。
【図５】図１の貯湯式給湯システムにおける必要最小沸き上げが選択されている場合の追いだき時の貯湯水の変化を示した図である。
【図６】図１の貯湯式給湯システムにおける必要最小沸き上げが選択されている場合の高温さし湯時の貯湯水の変化を示した図である。
【図７】本発明の実施の形態１での昇温動作のフローチャートである。
【符号の説明】
【００３０】
１  貯湯タンク、２  給水配管、５  給湯配管、１４  ヒートポンプ本体、２６  浴槽、３０  制御装置、３０ａ  判断部、３０ｂ  記憶部、３１  操作部、３１ａ沸き上げモード設定スイッチ、  ３１ｂ  昇温スイッチ、３１ｃ  スピーカー、３１ｄ  表示部。
【図１】
2006162205.tif 000003
【図２】
2006162205.tif 000004
【図３】
2006162205.tif 000005
【図４】
2006162205.tif 000006
【図５】
2006162205.tif 000007
【図６】
2006162205.tif 000008
【図７】
2006162205.tif 000009